(57)【要約】【課題】特殊な工具を必要とすることなく、そして一つの接続具で直線でも直角状にでも簡単容易に接続できる鳥類飛来防止装置用の電撃線接続具を提供する。【解決手段】鳥類飛来防止装置の電撃線３の端部３ｏどうしを接続する電撃線接続具１３で、方形状のベース板１４とこれより小さい方形状の押え板１５とからなる。ベース板１４の上面には、縦及び横方向に対向する複数対の立上片１６が突設されると共に、各１対の立上片１６が対向する領域Ａを挟んでその両側位置に複数の凹陥部１７が設けられ、各１対の立上片１６，１６の上端部には、その上面に互いに対向方向に下り傾斜状のガイド面１８，１８を有する抜け止め爪１９，１９が内向きに対向突設され、押え板１５の外周側端面には、ベース板１４の傾斜状ガイド面１８とは逆傾斜のガイド面２０が設けられ、押え板１５の下面に、ベース板１４の凹陥部１７に対応する凸片部２１を設ける。【選択図】図４
2013247864.tif 000002
【特許請求の範囲】
【請求項１】
軟質の合成樹脂からなる長尺帯状本体の上面側に複数条の電撃線挿入用蟻形溝を長尺帯状本体全長に亙って条設し、これらの蟻形溝内に、不銹性及び導電性を有する金属製の平帯状電撃線を夫々挿入配置し、これらの電撃線を電極として電圧を印加するようにしてなる鳥類飛来防止装置の電撃線の端部どうしを接続する電撃線接続具であって、
方形状のベース板とこれより小さい方形状の押え板とからなり、ベース板の上面には、縦及び横方向に対向する複数対の立上片が突設されると共に、各１対の立上片が対向する領域を挟んでその両側位置に複数の凹陥部が設けられ、各１対の立上片の上端部には、その上面に互いに対向方向に下り傾斜状のガイド面を有する抜け止め爪が内向きに対向突設され、押え板の外周側端部には、ベース板の下り傾斜状ガイド面に対応する逆傾斜状ガイド面が形成され、押え板の下面にはベース板の凹陥部と夫々対応する位置に凹陥部よりも小形の凸片部が突設され、
しかして、一方の長尺帯状本体に挿入された複数の電撃線の端部を、ベース板における縦又は横の何れか一方向に対向する対の立上片がその対向する領域を挟んでその両側の凹陥部を被うように挿入し、この電撃線の端部上に、他方の長尺帯状本体に挿入された複数本の電撃線の端部を平行方向又は直交方向に重ね合わせた状態で、押え板の外周側端面の傾斜状ガイド面をベース板の立上片の傾斜状ガイド面に押し込んで、立上片の弾性変形により押え板の外周縁部を立上片の抜け止め爪に係止させると共に、電撃線の重ね合わせ部分を前記凸片部によって前記凹陥部へ押し込むようにした鳥類飛来防止装置用の電撃線接続具。
【請求項２】
前記ベース板の上面側には、各１対の立上片が対向する領域を挟んでその両側に電撃線の端部を嵌合する電撃線嵌合溝を形成するための複数の凸段部が形成されている請求項１に記載の鳥類飛来防止装置用の電撃線接続具。
【請求項３】
前記ベース板には各立上片の内面側根元部に、接着剤をベース板の上面側から下面側へ供給するための接着剤供給口が設けられている請求項１又は２に記載の鳥類飛来防止装置用の電撃線接続具。
【請求項４】
前記ベース板及び押え板は、夫々ポリカーボネートで形成されている請求項１〜３の何れかに記載の鳥類飛来防止装置用の電撃線接続具。
【請求項５】
前記長尺帯状本体は、両斜面の傾斜が緩やかな断面略山形三角形に形成され、両斜面に電撃線挿入用蟻形溝を長尺帯状本体の全長に亙って条設してなる請求項１〜４の何れかに記載の鳥類飛来防止装置用の電撃線接続具。
【請求項６】
前記金属製平帯状電撃線はステンレス平編組線からなる鳥類飛来防止装置用の請求項１〜５の何れかに記載の鳥類飛来防止装置用の電撃線接続具。
【請求項７】
前記金属製平帯状電撃線はアルミニウム平帯板材からなる鳥類飛来防止装置用の請求項１〜５の何れかに記載の鳥類飛来防止装置用の電撃線接続具。
【請求項８】
前記長尺帯状本体はポリ塩化ビニルで形成されている請求項１〜７の何れかに記載の鳥類飛来防止装置用の電撃線接続具。
【発明の詳細な説明】
【技術分野】
【０００１】
本発明は、鳩、カラス等の鳥類の飛来を防止、糞害や巣作りによる建物等の汚染などを防止する鳥類飛来防止装置に関するもので、特に、この鳥類飛来防止装置の電撃線を接続する電撃線接続具に関する。
【背景技術】
【０００２】
近年、市街地での鳥類による被害が多発しており、特に高架下、看板や広告塔、電柱、建物のベランダや屋上、また神社や仏閣においては、飛来した鳩やカラス等が巣作りしたり、糞を撒き散らして周辺を汚染する上に、建物等の美観を損なうという問題がある。
【０００３】
そこで、鳥類の飛来防止対策として、鳥が留まり易い箇所に沿って碍子部材を所定間隔をおいて配置し、これら碍子部材間に夫々複数本の電撃用金属棒（以下、電撃線という）を保持して、これらの電撃線を電極として高電圧を印加し、しかして鳥が電撃線間に足を掛けた瞬間に、鳥の体内に通電して感電することにより、鳥に電気的ショックを与えて、鳥の飛来を防止するようにした鳥類飛来防止装置が、例えば下記特許文献１に開示されている。
【先行技術文献】
【特許文献】
【０００４】
【特許文献１】特開２００５−１６８３７１号公報
【発明の概要】
【発明が解決しようとする課題】
【０００５】
上記従来の鳥類飛来防止装置では、碍子部材間に保持される電撃線が装置の設置面より例えば３ｃｍほど宙に浮いた状態となるため、雪の多い地方では、屋根に設置した場合、電撃線が雪の重みで変形し、電撃線どうし接触してショートしてしまい、ワンシーズンで配線が不良となる事態が多く発生することから、雪の多い地方での施工が困難であった。また上記電撃線は、直径が１ｍｍ程度での太さで、宙に３ｃｍほど浮いているため、大型の鳥類が上に乗ったり、足を引っ掛けることにより、切断して落下することがあり、落下すれば、人通りの多い場所の高所では、大きな事故につながるおそれがある。
【０００６】
本願の発明者は、種々の研究を重ねた結果、電撃線を長尺帯状本体の上面に設けた蟻形溝内に挿入することにより、電撃線が装置の設置面から浮いた状態とならないようにし、もって上記の課題を解決できる鳥類飛来防止装置を開発した。即ち、この鳥類飛来防止装置は、軟質の合成樹脂、例えばＰＶＣ（ポリ塩化ビニル）からなる長尺帯状本体の上面側に複数条の電撃線挿入用蟻形溝を長尺帯状本体全長に亙って条設し、これら蟻形溝内に、不銹性及び導電性を有する金属製の平帯状電撃線を夫々挿入配置し、複数の電撃線を電極として電圧を印加するようにしたものである。
【０００７】
ところで、上記鳥類飛来防止装置の金属製平帯状電撃線を端部どうし接続する方法として、ハンダ付け、アルミ端子圧着、電気配線用コネクター等による接続方法が考えられる。ところが、これらの接続方法では、先ず、ハンダ付けは、火気厳禁の現場では使用ができず、また熟練が必要で、早く接続しないと焦げることになるといった問題がある。アルミ端子の圧着による接続では、圧着するのに特殊な工具が必要であり、またつなぎ目が目立つため美観的に良くなく、更にアルミが錆びて劣化し、外れる可能性がある。また、電気配線用コネクターは、現場作業でコネクター取付加工するには、施工時間がかかり過ぎ、またつなぎ目が目立つため美観的に良くなく、市販品では大体が室内用のため耐久性に乏しい。
【０００８】
本発明は、上記のような問題点を解決し、火気厳禁の現場でも使用できると共に、特殊な工具を必要とすることなく、また一つの接続具で直線でも直角状にでも簡単容易に接続できる鳥類飛来防止装置用の電撃線接続具を提供することを目的とする。
【課題を解決するための手段】
【０００９】
上記課題を解決するための手段を、後述する実施形態の参照符号を付して説明すると、請求項１に係る発明は、軟質の合成樹脂からなる長尺帯状本体１の上面側に複数条の電撃線挿入用蟻形溝２を長尺帯状本体１全長に亙って条設し、これらの蟻形溝２内に、不銹性及び導電性を有する金属製の平帯状電撃線３を夫々挿入配置し、これらの電撃線３を電極として電圧を印加するようにしてなる鳥類飛来防止装置の電撃線３の端部３ｏどうしを接続する電撃線接続具１３であって、
方形状のベース板１４とこれより小さい方形状の押え板１５とからなり、ベース板１４の上面には、縦及び横方向に対向する複数対の立上片１６が突設されると共に、各１対の立上片１６が対向する領域Ａを挟んでその両側位置に複数の凹陥部１７が設けられ、各１対の立上片１６，１６の上端部には、その上面に互いに対向方向に下り傾斜状のガイド面１８，１８を有する抜け止め爪１９，１９が内向きに対向突設され、押え板１５の外周側端部には、ベース板１４の下り傾斜状ガイド面１８に対応する逆傾斜状ガイド面２０が形成され、押え板１５の下面にはベース板１４の凹陥部１７と夫々対応する位置に凹陥部１７よりも小形の凸片部２１が突設され、
しかして、一方の長尺帯状本体１に挿入された複数の電撃線３の端部３ｏを、ベース板１４における縦又は横の何れか一方向に対向する対の立上片１６，１６がその対向する領域Ａを挟んでその両側の凹陥部１７を被うように挿入し、この電撃線３の端部３ｏ上に、他方の長尺帯状本体１に挿入された複数本の電撃線３の端部３ｏを平行方向又は直交方向に重ね合わせた状態で、押え板１５の外周側端面の傾斜状ガイド面２０をベース板１４の立上片１６の傾斜状ガイド面１８に押し込んで、立上片１６の弾性変形により押え板１５の外周縁部を立上片１６の抜け止め爪１９に係止させると共に、電撃線３の重ね合わせ部分を前記凸片部２１によって前記凹陥部１７へ押し込むようにしたことを特徴とする。
【００１０】
請求項２は、請求項１に記載の鳥類飛来防止装置用の電撃線接続具において、前記ベース板１４の上面側には、各１対の立上片１６，１６が対向する領域Ａを挟んでその両側に電撃線３の端部３ｏを嵌合する電撃線嵌合溝Ｂを形成するための複数の凸段部２３，２４，２５が形成されていることを特徴とする。
【００１１】
請求項３は、請求項１又は２に記載の鳥類飛来防止装置用の電撃線接続具において、前記ベース板１４には各立上片１６の内面側根元部に、接着剤２７をベース板１４の上面側から下面側へ供給するための接着剤供給口２６が設けられていることを特徴とする。
【００１２】
請求項４は、請求項１〜３の何れかに記載の鳥類飛来防止装置用の電撃線接続具において、前記ベース板１４及び押え板１５は、夫々ポリカーボネートで形成されていることを特徴とする。
【００１３】
請求項５は、請求項１〜４の何れかに記載の鳥類飛来防止装置用の電撃線接続具において、前記長尺帯状本体１は、両斜面１ａ，１ａの傾斜が緩やかな断面略山形三角形に形成され、両斜面１ａ，１ａに電撃線挿入用蟻形溝２を長尺帯状本体１の全長に亙って条設してなることを特徴とする。
【００１４】
請求項６は、請求項１〜５の何れかに記載の鳥類飛来防止装置用の電撃線接続具において、前記金属製平帯状電撃線３はステンレス平編組線からなることを特徴とする。
【００１５】
請求項７は、請求項１〜５の何れかに記載の鳥類飛来防止装置用の電撃線接続具において、前記金属製平帯状電撃線３はアルミニウム平帯板材からなることを特徴とする。
【００１６】
請求項８は、請求項１〜７の何れかに記載の鳥類飛来防止装置用の電撃線接続具において、前記長尺帯状本体１はポリ塩化ビニルで形成されていることを特徴とする。
【発明の効果】
【００１７】
上記解決手段による発明の効果を、後述する実施形態の参照符号を付して説明すると、請求項１に係る発明の電撃線接続具によれば、一方の長尺帯状本体１に挿入された複数の電撃線３の端部３ｏを、ベース板１４上に突設された複数対の立上片１６・・・のうち縦又は横の何れか一方向に対向する対の立上片１６，１６がその対向する領域Ａを挟んでその両側の凹陥部１７を被うように挿入し、この電撃線３の端部３ｏ上に、他方の長尺帯状本体１に挿入された２本又は３本の電撃線３の端部３ｏを平行方向又は直交方向に重ね合わせた状態で、押え板１５の外周側端面の傾斜状ガイド面２０をベース板１４の立上片１６の傾斜状ガイド面１８に押し込んで、立上片１６の弾性変形により押え板１５の外周縁部を立上片１６の抜け止め爪１９に係止させると共に、電撃線３の重ね合わせ部分を前記凸片部２１によって前記凹陥部１７へ押し込むようにすることで、電撃線３の端部３ｏどうしを接続するから、火気厳禁の現場でも使用できるし、特殊な工具を必要とすることなく容易に電撃線端部３ｏどうしの接続を行なえ、また一つの接続具で直線状でも直角状にでも簡単容易に接続することができる。
【００１８】
請求項２に係る発明によれば、電撃線接続具１３を構成するベース板１４の上面側に、各１対の立上片１６，１６が対向する領域Ａを挟んでその両側に電撃線３の端部３ｏを嵌合する電撃線嵌合溝Ｂを形成しているから、電撃線端部３ｏの接続にあたって、電撃線３の端部３ｏをベース板１４上の所定位置に容易に位置決めでき、接続作業を迅速に行なうことができる。
【００１９】
請求項３に係る発明によれば、ベース板１４には各立上片１６の内面側根元部に、接着剤２７をベース板１４の上面側から下面側へ供給するための接着剤供給口２６を設けているから、ベース板１４を取付基体７上に接着剤２７で固定するにあたり、ベース板１４の下面側に接着剤２７を供給する時に、接着剤２７をベース板１４の上面側から立上片１６の内面に向けて斜め下方に投入すれば、立上片１６の内面がガイド面となって投入し易く  、接着剤２７がベース板１４の上面側からその外方へ不都合に飛び出るようなことがない。
【００２０】
請求項４に係る発明によれば、ベース板１４及び押え板１５を夫々ポリカーボネートで形成した場合は、ベース板１４及び押え板１５の耐久性、絶縁性が非常に良くなる。
【００２１】
請求項５に係る発明によれば、長尺帯状本体１を、両斜面１ａ，１ａの傾斜が緩やかな断面略山形三角形に形成して、両斜面１ａ，１ａに電撃線挿入用蟻形溝２を長尺帯状本体１の全長にわたって条設し、これらの蟻形溝２，２内に金属製平帯状電撃線３を夫々挿入配置した構成によれば、飛来した鳩やカラス等の鳥類が直ちに足を乗せ易く且つ両電撃線３，３に接触又は接近し易くなる。また長尺帯状本体１は、両斜面１ａ，１ａの傾斜が緩やかな断面略山形三角形であることから、デザイン的に優れ、設置時における外観上の体裁、見栄えが良い。また、雨水等の水捌けが良い。
【００２２】
請求項６に係る発明のように、金属製平帯状電撃線３がステンレス平編組線である場合は、不銹性に優れて錆びることがない上に、導電性が非常に良好となり、また弾性に優れ、曲げ変形が容易となり、寒暖時における金属素線の伸縮をより有効に吸収することができる。
【００２３】
請求項７に係る発明のように、金属製平帯状電撃線３がアルミニウム平帯板材からなる場合は、他の金属平帯板材に比べ軟らかく変形が容易であり、また材料費が比較的安いために鳥類飛来防止装置の施工費を低減できる。
【００２４】
請求項８に係る発明によれば、長尺帯状本体１がポリ塩化ビニルで形成されている場合は、カーボン成分が極めて少ないために絶縁性に優れている上に、耐候性及び強度にも優れいてる。
【図面の簡単な説明】
【００２５】
【図１】本発明に係る鳥類飛来防止装置の主要部を示す斜視図である。
【図２】(a) は同装置における電撃線が挿入された長尺帯状本体の横断面図、(b) は電撃線が挿入された長尺帯状本体を所定場所に設置した状態の同様な横断面図である。
【図３】鳥類飛来防止装置全体の配線図を示す平面図である。
【図４】電撃線接続具を構成するベース板及び押え板の斜視図である。
【図５】(a) はベース板の平面図、(b) はベース板の立面図、(c) は(a) のＸ−Ｘ線断面図、(d) は(a) のＹ−Ｙ線断面図である。
【図６】(a) は押え板の平面図、(b) は立面図、(c) は底面図である。
【図７】(a) 〜(d) は電撃線接続具により電撃線を直線状に接続する場合の接続手順を示す説明図である。
【図８】(a) 及び(b) は電撃線接続具により電撃線を直角状に接続する場合の接続手順を示す説明図である。
【図９】(a) はベース板を接着剤で取付面に固着する状態を示す断面図、(b) は図７の(d) のＶ−Ｖ線拡大断面図、(c) は図８のＷ−Ｗ線拡大断面図である。
【発明を実施するための形態】
【００２６】
以下に本発明の好適な一実施形態を図面に基づいて説明すると、図１〜図３において、１は軟質の合成樹脂からなる長尺帯状本体で、この長尺帯状本体１の上面側に２つの電撃線挿入用蟻形溝２，２が長尺帯状本体１の全長に亙って条設され、これらの蟻形溝２，２内には夫々不銹性及び導電性を有する金属製の平帯状電撃線３が挿入配置されている。
【００２７】
長尺帯状本体１は、軟質合成樹脂としてのポリ塩化ビニルによって成形されたもので、図２の(a) から分かるように、両斜面１ａ，１ａの傾斜が緩やかな断面略山形三角形に形成されていて、その両斜面１ａ，１ａに夫々電撃線挿入用蟻形溝２が長尺帯状本体１全長に亙って条設されている。また、この断面略山形三角形長尺帯状本体１の底面１ｂ側にはその幅方向中央部に、接着剤保持用の蟻形溝４が長尺帯状本体１の全長に亙って条設されており、そしてこの接着剤保持用蟻形溝４を挟んでその両側には夫々、細かな凹溝部５が長尺帯状本体１の全長に亙って複数条設されている。
【００２８】
この実施形態に示す金属製平帯状電撃線３は、ステンレス平編組線からなる。このステンレス平編組線は、ステンレス素線を平編組線加工することによって形成されるもので、このステンレス平編組線からなる電撃線３は、容易に曲げることができると共に、容易に伸ばすことができ、また微妙に収縮することができるように構成されている。また、このステンレス平編組線からなる電撃線３は、当然のことながら錆びることがなく、導電性が非常に良好で、弾性に優れ、曲げ変形が容易となり、寒暖時におけるステンレス素線の伸縮をより有効に吸収することができる。図２の(a) は、断面略山形三角形の長尺帯状本体１の電撃線挿入用蟻形溝２，２内に夫々ステンレス平編組線からなる電撃線３が挿入配置された状態を示す。
【００２９】
尚、金属製平帯状電撃線３としては、ステンレス以外の平編組線も使用できるが、特に不銹性に優れていることからステンレス平編組線が最も好ましい。また金属製平帯状電撃線３としては、ステンレス等金属製の平編組線以外に、金属製平帯板材を使用することができる。この金属製平帯板材としては、他の金属平帯板材に比べて軟らかく変形が容易であること及び材料費が比較的安いことから、アルミニウム平帯板材が最も好ましい。
【００３０】
図２の(b) は、電撃線３が挿入された長尺帯状本体１を、鳩やカラス等の鳥類が飛来する場所にある取付基体７に設置した状態を示すものである。この長尺帯状本体１を取付基体７の上面所要部に取り付ける時は、長尺帯状本体１の底面１ｂ側には、幅方向一端部側に両面粘着テープ８を長尺帯状本体１の全長に亙って連続的に又は適当間隔で断片的に貼り付けると共に、底面１ｂ側中央部の接着剤保持用蟻形溝４に、ペースト状又はゼリー状の本体固定用接着剤９を供給して蟻形溝４の開口部側から山盛り状に溢れる状態とし、この状態で長尺帯状本体１の底面１ｂ側を取付基体７の上面所要部に押し付けると、長尺帯状本体１は、両面粘着テープ８により直ちに取付基体７の上面所定位置に止着されて仮止めされ、そして接着剤９が乾けば、この接着剤９によって取付基体７の上面所定位置に確実強固に固定されることなる。
【００３１】
上記のように長尺帯状本体１を鳥類が飛来する場所にある取付基体７の上面に固定するにあたって、長尺帯状本体１の底面１ｂには、本体固定用の接着剤９を塗布すると共に、本体仮止め用の両面粘着テープ８を貼り付けているから、長尺帯状本体１の底面１ｂ側を取付基体７の上面所要部に押し付ければ、長尺帯状本体１が両面粘着テープ８で取付基体７に仮止めされるから、接着剤９が乾くまで作業を中断することなく、作業を継続でき、施工時間の短縮を図ることができる。
【００３２】
この場合、長尺帯状本体１の底面１ｂ側を取付基体７の上面所要部に押し付けることによって、接着剤保持用蟻形溝４に対して蟻形溝４の開口部側から山盛り状に溢れる状態に供給された接着剤９は、その開口部側から溢れた部分９ａが、図２の(b) に示すように、長尺帯状本体１の底面１ｂと取付基体７の上面との間で長尺帯状本体１の幅方向中央部側から側端部の方へ広がって、長尺帯状本体底面１ｂを出来るだけ広い面で取付基体７の上面に接着させることができる。
【００３３】
またこの場合、長尺帯状本体１の底面１ｂの幅方向中央部に接着剤保持用の蟻形溝４を長尺帯状本体１全長に亙って設けているから、この蟻形溝４に供給された接着剤９は、図２の(c) に示すように、蟻形溝２内の奥部まで入り込んだ状態に保持されて、いわゆるアンカー効果を発揮し、接着剤９が固化した時の長尺帯状本体１に対する接着力を高めることができる。
【００３４】
またこの場合、長尺帯状本体１の底面１ｂには、上記した接着剤保持用蟻形溝４の他に細かな凹溝部５が長尺帯状本体１の全長に亙って複数条設されていることから、これらの凹溝部５により、前記接着剤保持用蟻形溝４からの接着剤９が、長尺帯状本体１の押し付け力によって薄く広がり過ぎないように、その凹溝部５に接着剤９を保持し、それによって長尺帯状本体１の底面１ｂと取付基体７の上面との間に適量の接着剤９を介在させることができる。
【００３５】
そしてまた、この鳥類飛来防止装置では、長尺帯状本体１が軟質合成樹脂によって形成され、また電撃線３がステンレス平編組線からなるため、長尺帯状本体１及び電撃線３が共に柔軟性があって弾性変形可能であり、従って設置箇所がカーブしていたり、上下に起伏していても、そのカーブや起伏に沿って適正に施工できることである。
【００３６】
図３は鳥類飛来防止装置全体の電気配線図を簡略的に示したもので、この図において、１０は装置本体電源部、１１はソーラー発電部であり、１２ａは導線のプラス側、１２ｂはマイナス側を示す。装置本体電源部１０は、図示は省略するが、入力電圧が例えば１２Ｖのバッテリー、電源入切操作用のスイッチ、ショート時に電源を自動的に遮断する機能をもつブレーカー及び入力電圧を例えば７０００〜８０００ボルトに増幅する増幅器を含み、長尺帯状本体１の電撃線挿入用蟻形溝２，２に挿入された両電撃線３，３の一方をプラス側、他方をマイナス側として、両電撃線３，３間に高電圧を印加するようになっている。そして、図３に示すように、装置本体電源部１０とソーラー発電部１１とを導線１２ａ，１２ｂによって接続すると共に、長尺帯状本体１の電撃線挿入用蟻形溝２，２に挿入されている電撃線３，３の一方の電撃線３に、装置本体電源部１０からのプラス側導線１０ａを接続し、他方の電撃線３にマイナス側導線１２ｂを接続することにより、鳥類飛来防止装置が完成する。
【００３７】
従って、長尺帯状本体１の上面側で電撃線挿入用蟻形溝２，２に挿入されて、それらの溝開口部から露出しているプラス側電撃線３（正極）及びマイナス側電撃線３（負極）に対し、鳩やカラス等の鳥類が近づいて、正極と負極との両電撃線３，３に対して接触又は数ｍｍ程度接近した状態となれば、その鳥類の体内に電流が流れて、鳥類に電気的ショックを与え、それによって鳥類の飛来を防止することができる。
【００３８】
また図３において、１３は電撃線３の端部３ｏどうしを接続する電撃線接続具で、この電撃線接続具１３について図４〜図９を参照しながら以下に詳述する。
【００３９】
電撃線接続具１３は、図４に示すように、平面視正方形状のベース板１４と、この正方形状ベース板１４よりも小さい正方形状の押え板１５とからなるもので、これらベース板１４及び押え板１５は夫々、合成樹脂によって、特に絶縁性及び耐久性に優れたポリカーボネートによって形成され、そして正方形状ベース板１４の一辺の長さは、電撃線３が挿入される長尺帯状本体１の幅寸法と同じである。図４及び図５に示すように、ベース板１４の上面側には、縦及び横方向に対向する２対で４つの立上片１６・・・が突設されると共に、各１対の立上片１６，１６が対向する領域Ａ（図５の(a) に右傾斜及び左傾斜のハッチングで示す）を挟んでその両側位置に、全部で４つの凹陥部１７・・・が設けられている。各立上片１６は、正方形状ベース板１４の各一辺の中央部に夫々設けてあるから、４つの立上片１６・・・は、４回回転対称位置にある立上片１６と言える。また各１対の立上片１６，１６の上端部には、その上面に互いに対向方向に下り傾斜状のガイド面１８，１８を有する抜け止め爪１９，１９が互いに内向きに対向突設されている。
【００４０】
図６の(a) 〜(c) に示すように、正方形状の押え板１５にはその外周側端部に、ベース板１４の下り傾斜状ガイド面１８に対応する逆傾斜状のガイド面２０が形成されており、また押え板１５の下面にはベース板１４の凹陥部１７と夫々対応する位置に凹陥部１７よりも小形の凸片部２１が突設されている。また、その外周側端面コーナー部のガイド面２０，２０どうしが付き合わさる隅角は、その尖端部が切除されており、その切除部を２２で示す。
【００４１】
そして、前記ベース板１４の上面側には、図４に示すように、各１対の立上片１６，１６が対向する領域Ａ（図５の(a) に右傾斜及び左傾斜のハッチングで示す）を挟んでその両側に電撃線３，３の連結端部３ｏ，３ｏを嵌合させる電撃線嵌合溝Ｂ，Ｂ（図４に右傾斜及び左傾斜のハッチングで示す）を形成するための複数の凸段部２３，２４，２５が形成されている。凸段部２３はベース板１４上面側の四隅部に位置し、凸段部２４はベース板１４上面側の中央部に位置し、凸段部２５は立上片１６の根元部近傍に位置している。上記のように各１対の立上片１６，１６が対向する領域Ａを挟んでその両側に形成される両電撃線嵌合溝Ｂ，Ｂの間隔ピッチは、長尺帯状本体１に条設してなる２条の蟻形溝２，２に挿入配置された２つの電撃線３，３の間隔ピッチと同じで、各電撃線嵌合溝Ｂの溝幅は電撃線３の幅寸法より僅かに広くなるように形成される。
【００４２】
また、前記ベース板１４には各立上片１６の内面側根元部に、図９の(a) に示すようにベース板固定用接着剤２７をベース板１４の上面側から下面側へ供給するための接着剤供給口２６が設けられている。接着剤供給口２６はベース板１４のどこに設けてもよいわけであるが、各立上片１６の内面側根元部に設けた場合は、接着剤２７の供給時に、接着剤２７をベース板１４の上面側から立上片１６の内面に向けて斜め下方に投入すれば、立上片１６の内面がガイド面となって投入し易く、接着剤２７がベース板１４の上面側からその外方へ不都合に飛び出るようなことがない。
【００４３】
次に、一方の長尺帯状本体１の蟻形溝２に挿入された電撃線３の端部３ｏと、他方の長尺帯状本体１の蟻形溝２に挿入された電撃線３の端部３ｏとを、上記の電撃線接続具１３により接続する方法について、図７〜図９を参照しながら説明する。
【００４４】
先ず電撃線３の端部３ｏどうしを直線状に接続する場合を説明すると、図７の(a) に示すように、鳩やカラス等の鳥類が飛来する場所にある取付基体７（図９参照）上に接着剤９により固定した一方の長尺帯状本体１（図７の(a) の左側に示す）に挿入配置されて、その長尺帯状本体１の端部から突出する２本の電撃線３，３の端部３ｏ，３ｏの下側所定位置に、電撃線接続具１３のベース板１４を配置して接着剤２７で固定する。接着剤９による取付基体７上での長尺帯状本体１の固定状態は、図２の(b) 及び図９の(b) ，(c) に示し、接着剤２７によるベース板１４の固定状態は図９の(a) 〜(c) に示す通りである。尚、ベース板固定用の接着剤２７と、長尺帯状本体固定用の接着剤９とは同じ接着剤である。
【００４５】
上記のように取付基体７上の所定位置に固定したベース板１４には、各１対の立上片１６，１６が対向する領域Ａ（図５の(a) に右傾斜及び左傾斜のハッチングで示す部分）を挟んでその両側に形成される電撃線嵌合溝Ｂ，Ｂ（図４に右傾斜及び左傾斜のハッチングで示す部分）に、前記一方の長尺帯状本体１に挿入された電撃線３，３の端部３ｏ，３ｏを嵌合させて図７の(b) に示すような状態とする。それから、図７の(c) に示すように、他方の長尺帯状本体１を、ベース板１４を挟んで前記一方の長尺帯状本体１とは反対側にこの一方の長尺帯状本体１と直線状に延びるように配置して接着剤９により固定し、そして当該他方の長尺帯状本体１側に挿入された電撃線３の端部３ｏを、ベース板１４の電撃線嵌合溝Ｂに嵌合されている前記一方の長尺帯状本体１側に挿入された電撃線３３の端部３ｏ上に重ね合わせた状態とする。
【００４６】
その後、押え板１５の外周側端部の傾斜状ガイド面２０を、ベース板１４の立上片１６の傾斜状ガイド面１８に摺接状態で押し込んで、立上片１６の弾性変形により押え板１５の上面側外周縁部を立上片１６の抜け止め爪１９に係止させると共に、双方の電撃線３，３の重ね合わせ部分３ａ，３ａを、押え板１５の凸片部２１によりベース板１４の凹陥部１７側へ押し込み、しかして双方の長尺帯状本体１，１に挿入されている電撃線３，３の接続端部３ｏ，３ｏが重ね合わさった状態で押え板１５の凸片部２１によって凹陥部１７内に入り込むように押し付けられることにより、電撃線３の接続端部３ｏどうしが一体的に圧接された状態に接続される。この状態を図９の(b) に示す。
【００４７】
図８の(a) ，(b) は電撃線３の端部３ｏどうしを直角状に接続する場合を示す。即ち、取付基体７（図９参照）上に接着剤９で固定した一方の長尺帯状本体１（図８(a) の左側に示す）に挿入配置されて、その長尺帯状本体１の端部から突出する２本の電撃線３，３の端部３ｏ，３ｏの下側所定位置に、電撃線接続具１３のベース板１４を配置して接着剤２７で固定する。この場合、図８の(a) に示すように、両電撃線３，３の端部３ｏ，３ｏの一方は他方よりも短くカットする。そして、この長短２つの電撃線端部３ｏ，３ｏを、ベース板１４上において１対の立上片１６，１６が対向する領域Ａ（図５の(a) 参照）を挟んでその両側に形成される電撃線嵌合溝Ｂ，Ｂに嵌合させる。
【００４８】
その後、他方の長尺帯状本体１を、前記一方の長尺帯状本体１と直交するようにベース板１４に隣接配置して接着剤９で固定する。そして、当該他方の長尺帯状本体１側に挿入された両電撃線３，３の端部３ｏ，３ｏも、その一方を他方より短くカットして、短い方の電撃線端部３ｏを前記一方の長尺帯状本体１側の短い電撃線端部３ｏ上に直交するように重ね合わせ、また長い方の電撃線端部３ｏを前記一方の長尺帯状本体１側の長い電撃線端部３ｏ上に直交するように重ね合わせて、図８の(a) に示すような状態とする。
【００４９】
それから、押え板１５の外周端面の傾斜状ガイド面２０を、ベース板１４の立上片１６の傾斜状ガイド面１８に摺接状態で押し込んで、立上片１６の弾性変形により押え板１５の上面側外周縁部を立上片１６の抜け止め爪１９に係止させると共に、双方の電撃線３，３の重ね合わせ部分３ａ，３ａを押え板１５の凸片部２１によりベース板１４の凹陥部１７側へ押し込み、しかして双方の長尺帯状本体１，１に挿入されている電撃線３，３の接続端部３ｏ，３ｏが重ね合わさった状態で押え板１５の凸片部２１によって凹陥部１７内に入り込むように押し付けられることにより、電撃線３の接続端部３ｏどうしが一体的に圧接された状態で直角状に接続される。この状態を図９の(c) に示す。
【００５０】
上述した実施形態では、長尺帯状本体１の上面側に２つの電撃線挿入用蟻形溝２，２を条設して、これらの蟻形溝２、２に２本の電撃線３，３を挿入するようにしたが、例えば断面矩形状に形成した長尺帯状本体１の上面側に３つの蟻形溝２，２，２を条設し、それらに３本の電撃線３，３，３を挿入するようにしてもよい。この場合は、真中の電撃線３を正極とし、その両側の電撃線３，３を負極として、電圧を印加するようにすればよい。このように３本の電撃線３，３，３を長尺帯状本体１に挿入させた場合の電撃線接続具１３では、ベース板１４の上面側に、縦横夫々２対づつの８つの立上片１６を突設し、そして各１対の立上片１６，１６が対向する領域Ａを挟んでその両側に設けられる凹陥部１７は全部で９つとなり、従って押え板１５の下面には、ベース板１４側の凹陥部１７に対応して９つの凸片部２１を設ければよい。
【００５１】
以上説明した鳥類飛来防止装置によれば、軟質合成樹脂からなる長尺帯状本体１の上面側に電撃線挿入用の蟻形溝２を長尺帯状本体１全長にわたって複数条設し、これらの蟻形溝２，２内に、不銹性及び導電性を有する金属製の平帯状電撃線３を夫々挿入配置して、これらの電撃線３，３を電極として印加するようにしてもので、蟻形溝２内に電撃線３を挿入した長尺帯状本体１を直接、鳩やカラス等の鳥類が飛来する場所にある取付基体７等に敷設することにより、従来の鳥類飛来防止装置の電撃線のように、大型鳥類が乗った重みで電撃線を曲げたり足を引っ掛けることで電撃線を切断して落下させるようなことがなく、それによる事故の発生を回避することができ、使用の安全性を期することができる。また電撃線３は、蟻形溝２内に挿入させるから、一旦溝２内に挿入したら、抜け出ることがない。
【００５２】
また、長尺帯状本体１を、実施形態に示すように、両斜面１ａ，１ａの傾斜が緩やかな断面略山形三角形に形成して、両斜面１ａ，１ａに夫々電撃線挿入用蟻形溝２を長尺帯状本体１の全長にわたって条設し、これらの蟻形溝２，２内に平編組線からなる電撃線３を夫々挿入配置した構成によれば、飛来した鳩やカラス等の鳥類が直ちに足を乗せ易く且つ両電撃線３，３に接触又は接近し易くなる。また、雨水等の水捌けが良い。
【００５３】
また、長尺帯状本体１は、上記のように両斜面１ａ，１ａの傾斜が緩やかな断面略山形三角形に形成されて、その厚みが例えば９ｍｍ程度と薄く、しかもこの薄い長尺帯状本体１に設けた蟻形溝２内に電撃線３を埋め込んだ状態となっているから、他の工事、つまり鳥類飛来防止装置の設置工事以外の工事が平行して行なわれる場合に当該他の工事の妨げにならない。
【００５４】
また電撃線３は、不銹性及び導電性の金属平編組線からなるため、錆びることがなく、長期間有効に使用できる一方、伸縮が可能で、寒暖時における金属素線の伸縮を吸収するから、気温の高い時の金属素線の伸びによって電撃線３が蟻形溝２から飛び出たり、気温の低い時の金属素線の収縮によって電撃線３が縮んで長尺帯状本体１を変形させるような不都合な事態を生ずることがない。また、電撃線３が長尺帯状本体１と共に、自由に変形可能であるため、鳥類飛来防止装置の設置箇所がカーブしていたり、上下に起伏した状態にあっても、そのカーブや起伏に沿って適正に施工することができる。また電撃線３としてステンレス平編組線を使用した場合は、不銹性に優れて錆びることがない上に、導電性が非常に良好となり、また弾性に優れ、曲げ変形が容易となり、寒暖時における金属素線の伸縮をより有効に吸収することができる。
【００５５】
また、上述した本発明の電撃線接続具１３によれば、一方の長尺帯状本体１に挿入された複数の電撃線３の端部３ｏを、ベース板１４における縦又は横の何れか一方向に対向する対の立上片１６，１６がその対向する領域Ａを挟んでその両側の凹陥部１７を被うように挿入し、この電撃線３の端部３ｏ上に、他方の長尺帯状本体１に挿入された２本又は３本の電撃線３の端部３ｏを平行方向又は直交方向に重ね合わせた状態で、押え板１５の外周側端面の傾斜状ガイド面２０をベース板１４の立上片１６の傾斜状ガイド面１８に押し込んで、立上片１６の弾性変形により押え板１５の外周縁部を立上片１６の抜け止め爪１９に係止させると共に、電撃線３の重ね合わせ部分を前記凸片部２１によって前記凹陥部１７へ押し込むようにすることで、電撃線３の端部３ｏどうしを接続するから、火気厳禁の現場でも使用できるし、また特殊な工具を必要とすることなく容易に電撃線端部３ｏどうしの接続を行なえ、そしてまた一つの接続具で直線状でも直角状にでも簡単容易に接続することができる。
【００５６】
また電撃線接続具１３を構成するベース板１４の上面側に、各１対の立上片１６，１６が対向する領域Ａを挟んでその両側に電撃線３の端部３ｏを嵌合する電撃線嵌合溝Ｂを形成しているから、電撃線端部３ｏの接続にあたって、電撃線３の端部３ｏをベース板１４上の所定位置に容易に位置決めでき、接続作業を迅速に行なうことができる。この場合、電撃線嵌合溝Ｂは複数の凸段部２３，２４，２５によって形成するから、各１対の立上片１６，１６が対向する領域Ａを挟んでその両側に位置する複数の電撃線嵌合溝Ｂ・・・を図４に示すように縦横に交差させることができる。
【００５７】
また、上述した実施形態の電撃線接続具１３では、ベース板１４上に突出する２対４つの立上片１６，１６，１６，１６が夫々正方形状ベース板１４の各一辺の中央部に突設され、各１対の立上片１６，１６が対向する領域Ａを挟んでその両側位置に凹陥部１７が４つ設けられると共に、各１対の立上片１６，１６が対向する領域Ａを挟んでその両側には夫々２つの凹陥部１７に沿って延びる電撃線嵌合溝Ｂが形成されることから、このベース板１４は、正方形の押え板１５と共に、４回回転対称形状となり、従ってベース板１４の設置にあたり、長尺帯状本体１に対する位置決めが容易となり、また押え板１５をベース板１４に押し込む時も同様に位置決めが容易となって、電撃線端部３ｏの接続作業を能率よく行なうことができる。これは、ベース板１４及び押え板１５が夫々平面視正方形で、ベース板１４の上面に立上片１６を４対で８つ突設すると共に凹陥部１７を９つ形成し、押え板１５側に９つの凸片部２１を突設する場合も同様である。
【００５８】
また、上述した電撃線接続具１３を形成するベース板１４及び押え板１５は、合成樹脂で形成されるもので、自由な着色が可能であるから、同じく合成樹脂からなる長尺帯状本体１の色と同じ色に着色することによって、長尺帯状本体１，１間の接続部である電撃線接続具１３が目立たなくなるため、美観的に良い。
【符号の説明】
【００５９】
１            長尺帯状本体
２            電撃線挿入用蟻形溝
３            電撃線
３ｏ          電撃線の端部
１３          電撃線接続具
１４          電撃線接続具のベース板
１５          電撃線接続具の押え板
１６          立上片
１７          凹陥部
１８          ベース板側のガイド面
１９          抜け止め爪
２０          押え板側のガイド面
２１          押え板下面の凸片部
【図１】
2013247864.tif 000003
【図２】
2013247864.tif 000004
【図３】
2013247864.tif 000005
【図４】
2013247864.tif 000006
【図５】
2013247864.tif 000007
【図６】
2013247864.tif 000008
【図７】
2013247864.tif 000009
【図８】
2013247864.tif 000010
【図９】
2013247864.tif 000011